(57)【要約】【課題】  複数のマルチメディア記録再生機能を備えた、消費者の需要を満足させる多機能マルチメディア記録再生装置を提供する。【解決手段】  本発明は複数のマルチメディア機能を有する多機能マルチメディア記録再生装置に関し、少なくともデジタル写真閲覧機能、映像再生機能、オーディオ再生機能、ビデオ／オーディオ記録機能を備え、これによって、使用者は1台の装置だけで、複数のマルチメディア記録再生機能例えばデジタル写真の閲覧、映像番組の観賞、音楽や音声番組の聞き取り、ビデオ／オーディオの記録を楽しむことができるため、消費者のマルチメディアに対する記録再生の需要を満足させられる。【選択図】図１
2006004544.tif 000002
【特許請求の範囲】
【請求項１】
少なくともデジタル写真閲覧機能、映像再生機能、オーディオ再生機能、ビデオ／オーディオ記録機能を含む複数のマルチメディア記録再生機能を備えた、多機能マルチメディア記録再生装置において、少なくとも、
各種のデジタル画像ファイルやデジタルビデオファイルを表示するための表示モジュールと、
オーディオ信号を出力するためのオーディオ出力モジュールと、
外部のマルチメディアデータ生成装置に接続されるためのマルチメディアデータ入出力インタフェースグループと、
少なくともデジタル画像ファイル、デジタルビデオファイル、デジタルオーディオファイルを含めた各種のマルチメディアデジタルデータファイルを蓄積するためのデータ蓄積モジュールと、
前記表示モジュールを通して前記データ蓄積モジュールに蓄積されたデジタル画像ファイルを表示するためのデジタル写真表示モジュールと、
前記表示モジュールを通して前記データ蓄積モジュールに蓄積されたデジタルビデオファイルを再生するための映像再生モジュールと、
前記オーディオ入出力モジュールを通して前記データ蓄積モジュールに蓄積されたデジタルオーディオファイルを再生するためのオーディオ再生モジュールと、
前記マルチメディアデータ入出力インタフェースグループを通して外部のマルチメディアデータ生成装置に接続され、前記マルチメディアデータ生成装置によって生成されたビデオ／オーディオ信号を受信や記録し、記録されたビデオ／オーディオ信号を前記データ蓄積モジュールに蓄積するためのビデオ／オーディオ記録モジュールと、
使用者が前記デジタル写真表示モジュール、映像再生モジュール、オーディオ再生モジュール、ビデオ／オーディオ記録モジュールを選択や制御し、必要とするデジタル写真の閲覧機能、映像の再生機能、オーディオの再生機能、またはビデオ／オーディオの記録機能を実施するようにするための制御モジュールと、
各種のマルチメディアデジタルデータファイルを入出力するためのコンパクトフラッシュインタフェースデータ蓄積モジュールと、
を備えることを特徴とする多機能マルチメディア記録再生装置。
【請求項２】
前記表示モジュールはカラーの薄膜トランジスタ型液晶表示（TFT LCD）モジュールであることを特徴とする請求項1に記載の多機能マルチメディア記録再生装置。
【請求項３】
前記マルチメディアデータ入出力インタフェースグループは、少なくとも、
外部のビデオ／オーディオ生成装置に接続されることによって、ビデオ／オーディオ信号を前記外部のビデオ／オーディオ生成装置より前記ビデオ／オーディオ記録モジュールに入力するためのビデオ／オーディオ入力インタフェースと、
外部のパソコンプラットフォームに接続されることによって、各種のマルチメディアデータを前記外部のパソコンプラットフォームより前記データ蓄積モジュールに入出力するためのコンピュータ通信インタフェースと、
を備えることを特徴とする請求項1に記載の多機能マルチメディア記録再生装置。
【請求項４】
前記コンピュータ通信インタフェースはUSB通信インタフェースであることを特徴とする請求項３に記載の多機能マルチメディア記録再生装置。
【請求項５】
前記データ蓄積モジュールは、少なくともハードディスクモジュールと、フラッシュメモリモジュールとを備え、各種のマルチメディアデータファイル及び関連の制御プログラムをそれぞれ蓄積することを特徴とする請求項１に記載の多機能マルチメディア記録再生装置。
【請求項６】
前記オーディオ再生モジュールはMP3オーディオ再生モジュールであることを特徴とする請求項１に記載の多機能マルチメディア記録再生装置。
【請求項７】
前記映像再生モジュールを外部の映像表示装置にカップリングすることによって、前記映像再生モジュールから出力されたビデオ信号を前記外部の映像表示装置に表示するためのビデオ出力インタフェースをさらに備えることを特徴とする請求項1に記載の多機能マルチメディア記録再生装置。
【請求項８】
前記ビデオ出力インタフェースはPAL／NTSCビデオ出力インタフェースであることを特徴とする請求項７に記載の多機能マルチメディア記録再生装置。
【請求項９】
前記制御モジュールにカップリングされることによって、使用者がリモコン装置を通して前記多機能マルチメディア記録再生装置に提供されたそれぞれのマルチメディア機能を制御するための無線リモコンインタフェースをさらに備えることを特徴とする請求項1に記載の多機能マルチメディア記録再生装置。
【請求項１０】
前記無線リモコンインタフェースは赤外線式無線リモコンインタフェースであることを特徴とする請求項９に記載の多機能マルチメディア記録再生装置。
【発明の詳細な説明】
【技術分野】
【０００１】
本発明はマルチメディア技術に関し、特に、多機能マルチメディア再生装置に関するものであって、少なくともデジタル写真閲覧機能、映像再生機能、オーディオ再生機能、ビデオ／オーディオ記録機能を備え、デジタル写真の閲覧、映像番組の再生、音楽や音声番組、ビデオ／オーディオの記録として使用者に様様なマルチメディア機能が提供されている。
【背景技術】
【０００２】
現に消費生活用電子製品の市場において、各種の異なるメディア記録再生装置、例えばデジタル写真閲覧装置、MP3オーディオ再生装置、VCD／DVD映像再生装置、デジタルビデオカメラ等が出回っており、デジタル写真の閲覧、音楽の聞き取り、映像番組の観賞、映像番組の記録として使用者に提供されている（例えば、特許文献１参照）。
【特許文献１】特開２０００−１９７００９号公報
【発明の開示】
【発明が解決しようとする課題】
【０００３】
しかしながら、上記の各種のメディア記録再生装置は、一台の装置につき、１種のメディア記録再生機能しか提供できないのが欠点である。即ち、デジタル写真閲覧装置がデジタル写真の閲覧に、MP3オーディオ再生装置が音楽の再生に、VCD／DVD映像再生装置が画像音声番組の再生に、デジタルビデオカメラが画像音声番組の録画にのみ利用できるため、消費者のマルチメディアの記録再生に対する需要を同時に満足させることができない。
【０００４】
上記の課題に鑑みて、本発明は、同一の装置において、少なくともデジタル写真閲覧機能、映像再生機能、オーディオ再生機能、ビデオ／オーディオ記録機能を有する複数のマルチメディア記録再生機能を備えた、消費者のマルチメディアの記録再生に対する需要を同時に満足させる、多機能マルチメディア記録再生装置を提供することを目的とする。
【課題を解決するための手段】
【０００５】
本発明に係る多機能マルチメディア記録再生装置は、少なくともデジタル写真表示モジュール、オーディオ再生モジュール、映像再生モジュール、ビデオ／オーディオ記録モジュールを備え、前記デジタル写真表示モジュールはデジタル写真の表示として、前記映像再生モジュールはビデオの再生として、前記オーディオ再生モジュールは音楽や音声番組の再生として、前記ビデオ／オーディオ記録モジュールは外付けのビデオ／オーディオ生成装置によって生成されたビデオ／オーディオの記録として、それぞれ使用されている。
【０００６】
従って、本発明に係る多機能マルチメディア記録再生装置は、1台の装置だけで、デジタル写真の閲覧、映像番組の観賞、音楽や音声番組の聞き取り、及びビデオ／オーディオ番組の記録に関する様様なマルチメディア記録再生等の機能が使用者に提供できるため、消費者のマルチメディアに対する記録再生の需要を同時に満足させられる。
【発明を実施するための最良の形態】
【０００７】
以下は、図面に沿って本発明に係る多機能マルチメディア記録再生装置の実施例を詳しく説明する。
【０００８】
まず、図1は、本発明に係る多機能マルチメディア記録再生装置（例えば符号100で示す点線フレームに囲まれた部分）の基本構造を示す。該基本構造は、少なくとも（a）表示モジュール110、（b）オーディオ出力モジュール120、（c）マルチメディアデータ入出力インタフェースグループ130、（d）データ蓄積モジュール140、（e）制御モジュール150、（f）デジタル写真表示モジュール210、（g）映像再生モジュール220、（h）オーディオ再生モジュール230、（i）ビデオ／オーディオ記録モジュール240、及び（j）コンパクトフラッシュ（Compact Flash）インタフェース160を備える。
【０００９】
表示モジュール110は、例えばカラーの薄膜トランジスタ型液晶表示モジュール（Thin FILM Transistor Liquid Crystal Display, TFT LCD）であって、使用者制御インタフェース、文字、パターン、静止画像（即ちデジタル写真）、動画（即ちビデオ映像）等を表示することができる。
【００１０】
オーディオ出力モジュール120は、内蔵のスピーカ機能を備え、また、外付けのスピーカ機能を備えても良い。内蔵のスピーカ機能は直接該オーディオ出力モジュール120によって受信された電子オーディオ信号を自然音声に変換させ周囲の環境に再生させ、外付けのスピーカ機能は使用者が外付けヘッドフォンまたは大型スピーカを通してオーディオ出力モジュール120から出力されたオーディオ信号を聞き取ることができる。
【００１１】
マルチメディアデータ入出力インタフェースグループ130は、例えばビデオ／オーディオ入力インタフェース131、コンピュータ通信インタフェース132、及びコンパクトフラッシュインタフェース160を備え、ビデオ／オーディオ入力インタフェース131は、本発明に係る多機能マルチメディア記録再生装置100が外部のビデオ／オーディオ生成装置10例えばVCD／DVD再生装置、テレビ、ビデオカメラ等に接続されることによって、外付けのビデオ／オーディオ生成装置10からビデオ／オーディオデータを本発明に係る多機能マルチメディア記録再生装置100に入力し、コンピュータ通信インタフェース132は、例えばUSB（Universal Serial Bus）通信インタフェースであって、本発明に係る多機能マルチメディア記録再生装置100がパソコンプラットフォーム20例えばデスクトップパソコン、ノートパソコン等に接続されることによって、外付けのパソコンプラットフォーム20より各種のマルチメディアデータを本発明に係る多機能マルチメディア記録再生装置100に入出力することができる。
【００１２】
コンパクトフラッシュインタフェース160は、外付けのコンパクトフラッシュカード（Compact Flash Card）50またはコンパクトフラッシュアダプター60（Compact Flash Adapter）（4in1型フラッシュメモリ接合器）によって、SD（Secure Digital）、MS（Memory Stick）、MMC（Multimedia Card）、及びSM（Smart Media）を含む各種の異なるフラッシュメモリ装置に接合され、各種のマルチメディアデータファイルを本発明に係る多機能マルチメディア記録再生装置100に入出力することができる。
【００１３】
データ蓄積モジュール140は、ハードディスクモジュールまたはフラッシュメモリモジュールを備え、前記ハードディスクモジュールは例えばデジタル写真の映像ファイル、映像番組のデジタルビデオファイル、及び音楽や音声のデジタルオーディオファイル等の各種のマルチメディアファイルデータを蓄積し、前記フラッシュメモリモジュールは例えば関連の制御プログラムを蓄積することができる。
【００１４】
制御モジュール150は、各種の制御ボタン（図示せず）を備え、使用者が本発明に係る多機能マルチメディア記録再生装置100に提供された4つのマルチメディア機能を選択し、選択されたマルチメディア機能を制御することができるようにする。
【００１５】
デジタル写真表示モジュール210は、使用者が制御モジュール150によって表示モジュール110を通してデータ蓄積モジュール140に予め蓄積されたデジタル写真を選択や表示させるようにすることで、使用者が本発明に係る多機能マルチメディア記録再生装置100に予め蓄積されたデジタル写真を閲覧することができる。
【００１６】
映像再生モジュール220は、使用者が制御モジュール150によって表示モジュール110を通してデータ蓄積モジュール140に予め蓄積された各種の映像番組のデジタルビデオファイルを表示させるようにすることで、使用者が表示モジュール110を通して本発明に係る多機能マルチメディア記録再生装置100に予め蓄積された各種の映像番組を観賞することができる。
【００１７】
オーディオ再生モジュール230は、使用者が制御モジュール150によってオーディオ出力モジュール120を通して音楽や音声のデジタルオーディオファイルを再生させるようにすることで、使用者がオーディオ出力モジュール120を通して本発明に係る多機能マルチメディア記録再生装置100に予め蓄積された音楽や音声番組を聞き取ることができる。
【００１８】
ビデオ／オーディオ記録モジュール240は、使用者が制御モジュール150によってビデオ／オーディオ入力インタフェース131を通して外部のビデオ／オーディオ生成装置10例えばVCD／DVD再生装置、テレビ、ビデオカメラ等への接続を行うようにすることで、前記ビデオ／オーディオ生成装置10によって生成されたビデオ／オーディオ信号を受信や記録し、記録されたビデオ／オーディオ信号をデータ蓄積モジュール140に蓄積する。
【００１９】
実際の応用において、使用者は、まず制御モジュール150によって本発明に係る多機能マルチメディア記録再生装置100に提供された4つのマルチメディア機能の1つ（即ち、デジタル写真の閲覧機能、映像の再生機能、オーディオの再生機能、またはビデオ／オーディオの記録機能）を選択し、そして、制御モジュール150によって選択されたマルチメディア機能を制御し、デジタル写真の閲覧、映像の再生、オーディオの再生、またはビデオ／オーディオの記録を行うことができる。
【００２０】
使用者がデジタル写真閲覧機能を選択した場合、制御モジュール150は使用者のボタン指令に基づいてデジタル写真表示モジュール210を制御して、使用者の閲覧しようとするデジタル写真をデータ蓄積モジュール140またはコンパクトフラッシュインタフェースより取り出し、そして、取り出されたデジタル写真を表示モジュール110に表示させることによって、使用者が本発明に係る多機能マルチメディア記録再生装置100に予め蓄積されたデジタル写真を閲覧することができる。
【００２１】
使用者が映像生成機能を選択した場合、制御モジュール150は使用者のボタン指令に基づいて映像再生モジュール220を制御して、使用者の観賞しようとする映像番組のデジタルビデオファイルをデータ蓄積モジュール140より取り出し、そして、取り出されたデジタルビデオファイルを表示モジュール110に表示させると同時に、デジタルビデオファイルにおけるオーディオ部分をオーディオ出力モジュール120によって再生させることによって、使用者が本発明に係る多機能マルチメディア記録再生装置100に予め蓄積された映像番組を観賞することができる。
【００２２】
使用者がオーディオ機能を選択した場合、制御モジュール150は使用者のボタン指令に基づいてオーディオ再生モジュール230を制御して、使用者の聞こうとする音楽または音声番組のデジタルオーディオファイルをデータ蓄積モジュール140またはコンパクトフラッシュインタフェースデータ蓄積モジュールより取り出し、そして、取り出されたデジタルオーディオファイルをオーディオ出力モジュール120によって再生させることによって、使用者が本発明に係る多機能マルチメディア記録再生装置100に予め蓄積された音楽または音声番組を聞き取ることができる。
【００２３】
使用者がビデオ／オーディオ記録機能を選択した場合、使用者は、まず本発明に係る多機能マルチメディア記録再生装置100を、ビデオ／オーディオ入力インタフェース131によって外部のビデオ／オーディオ生成装置10例えばVCD／DVD再生装置、テレビ、ビデオカメラ等に接続させ、該ビデオ／オーディオ生成装置10によって生成されたビデオ／オーディオ信号をビデオ／オーディオ記録モジュール240によって受信や記録し、記録されたビデオ／オーディオ信号をデータ蓄積モジュール140に蓄積することによって、記録された映像番組や音楽番組を映像再生モジュール220またはオーディオ再生モジュール230によっていつでも再生することができる。
【００２４】
また、図2に示すように、本発明に係る多機能マルチメディア記録再生装置100は、ビデオ出力インタフェース221例えば標準スペックであるPAL／NTSCビデオ出力インタフェースを選択的に備えても良く、本発明に係る多機能マルチメディア記録再生装置100を、外部の映像表示装置30例えば大画面テレビに接続することによって、映像再生モジュール220から出力されたビデオ信号を小画面のTFT LCD表示モジュール110の代わりに、大画面のテレビ30に表示させ、より良好な視覚観賞効果を図る。
【００２５】
また、図2に示すように、本発明に係る多機能マルチメディア記録再生装置100は、さらに無線リモコンインタフェース151例えば赤外線（Infrared、IR）式の無線リモコンインタフェースを備えても良く、それを制御モジュール150に接続することで、使用者が赤外線リモコン装置40によって本発明に係る多機能マルチメディア記録再生装置100を遠隔でリモコンすることができる。
【００２６】
上記のように、本発明は1台の装置において、複数のマルチメディア記録機能を使用者に提供できる、新規な多機能マルチメディア記録再生装置であって、少なくともデジタル写真の閲覧機能、映像の再生機能、オーディオの再生機能、ビデオ／オーディオの記録機能を備え、使用者が1台の装置だけで、複数のマルチメディア記録再生機能例えばデジタル写真の閲覧、映像番組の観賞、音楽や音声番組の聞き取り、ビデオ／オーディオの記録を楽しむことができるため、消費者のマルチメディアに対する記録再生の需要を満足させる。従って、本発明は従来の技術より進歩性及び実用性を備える。
【００２７】
上記の実施の形態は本発明を例示する目的で示すものであり、本発明は、それらの実施例によって何ら限定されるものではない。本発明に係る実質的な技術内容は、下記の特許請求の範囲に定義される。本発明はこの技術分野に精通したものが特許請求の範囲を脱しない範囲で色々な修飾や変更が可能であり、そうした修飾や変更は本発明の技術範囲に入るものである。
【図面の簡単な説明】
【００２８】
【図１】図1は、システムの構造であって、本発明に係る多機能マルチメディア記録再生装置の基本構造を模式的に示す。
【図２】図2は、システムの構造であって、本発明に係る多機能マルチメディア記録再生装置のその他の実施例を模式的に示す。
【符号の説明】
【００２９】
10  ビデオ／オーディオ生成装置
20  パソコンプラットフォーム
30  映像表示装置
40  赤外線リモコン装置
50  コンパクトフラッシュカード（Compact Flash Card）
60  コンパクトフラッシュアダプター（Compact Flash Adapter）
100  多機能マルチメディア記録再生装置
110  表示モジュール
120  オーディオ出力モジュール
130  マルチメディアデータ入力インタフェースグループ
131  ビデオ／オーディオ入力インタフェース
132  コンピュータ通信インタフェース
140  データ蓄積モジュール
150  制御モジュール
151  無線リモコンインタフェース
160  コンパクトフラッシュインタフェース
210  デジタル写真表示モジュール
220  映像生成モジュール
221  ビデオ出力インタフェース
230  オーディオ再生モジュール
240  ビデオ／オーディオ記録モジュール
【図１】
2006004544.tif 000003
【図２】
2006004544.tif 000004